(57)【特許請求の範囲】
【請求項１】
本体内部に、空気中の水分を吸着する除湿ローターと、前記除湿ローターを回転させる駆動手段と、前記除湿ローターから水分を放出させる発熱手段と、前記発熱手段により前記除湿ローターから放出された高温高湿空気を結露させる熱交換器と、前記熱交換器を通過した高温高湿空気を前記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段と、前記発熱手段を保持する前面が開口した略扇形形状の箱体と、前記箱体の開口面を覆う蓋部とを有し、前記箱体には前記第１送風手段からの送風を取り込む空気入口部と、前記蓋部には発熱手段で加熱された空気を吹き出す略扇形形状の空気出口部を設け、前記発熱手段の発熱量および前記空気出口部から吹き出す空気量を、前記空気出口部の略扇形形状の中央から半径方向の径大側にかけて増大してなり、前記発熱手段は、前記空気出口部に面して複数層に積層された電熱体からなり、前記空気出口部の略扇形状の中心付近に配置した前記電熱体の積層数を低減してなり、前記発熱手段となる前記電熱体を支持して収納する枠体と、この枠体を収納する略扇形形状の箱体を有し、前記枠体の側面に前記箱体の空気入口部と連通する開口穴を設け、この開口穴の形状を前記箱体の中心側より径大側が高くなる横向きの台形形状とした除湿装置。
【請求項２】
発熱手段となる電熱体を支持して収納する枠体と、この枠体内で前記電熱体を支持するために半径方向に放射状に配置された複数の縦絶縁板を設け、この縦絶縁板の形状は箱体の中心側より径大側が低くなる横向きの台形形状とした請求項１記載の除湿装置。
【請求項３】
発熱手段となる電熱体を支持して収納する枠体と、この枠体の側面に設けた開口穴と、前記枠体の表面を通過する表通風路と、前記枠体の裏面を通過する裏通風路と、前記枠体に前記裏通風路から前記表通風路に合流する合流穴を設け、この合流穴を空気出口部の略扇形状の中央から径大側の範囲に配置してなる請求項１または２に記載の除湿装置。
【請求項４】
枠体に設けた裏通風路から表通風路に合流する複数の合流穴を設け、この合流穴の大きさは空気出口部の径大側に位置する方を大きくした請求項３記載の除湿装置。
【請求項５】
電熱体を収納する枠体と、この枠体内で前記電熱体を支持する複数の縦絶縁板を備え、各縦絶縁板の下辺に複数の突片を設け、この突片の位置は、枠体の開口穴に面して交互にずらした配置とした請求項１〜４のいずれかに記載の除湿装置。
【請求項６】
発熱手段となる発熱体を収納する枠体と、この枠体の側板に設けた空気を導入する開口穴と、前記枠体を収納する略扇形状の箱体を有し、前記枠体の側板が前記箱体に形成した空気出口部の中心線方向に傾斜してなる請求項１〜５のいずれかに記載の除湿装置。
【請求項７】
発熱手段となる電熱体を収納する枠体と、この枠体を収納する略扇形状の箱体と、前記枠体内で前記電熱体を支持するために放射状に配置された複数の縦絶縁板を備え、この縦絶縁板は前記箱体に形成した空気出口部の中心線方向に傾斜してなる請求項１〜６のいずれかに記載の除湿装置。
【発明の詳細な説明】
【技術分野】
【０００１】
本発明は、室内空気を除湿する除湿機に関するものである。
【背景技術】
【０００２】
従来、この種の除湿機は、図１０および図１１に示すものが知られている（例えば、特許文献１参照）。
【０００３】
図に示すように、本体１０１内には空気中の水分を吸着する除湿ローター１０２と、除湿ローター１０２を回転させる駆動手段１０３と、除湿ローター１０２から水分を放出させる発熱ユニット１０４と、この発熱ユニット１０４により除湿ローター１０２から放出された高温高湿空気を結露させる熱交換器１０５と、熱交換器１０５を通過した高温湿空気を発熱ユニット１０４に戻すダクト１０５ａを内蔵している。発熱ユニット１０４、除湿ローター１０２、熱交換器１０５、ダクト１０５ａは仕切り板（図示せず）によって支持され、本体１０１内部に固定されている。第１送風手段１０７により発熱ユニット１０４、除湿ローター１０２、熱交換器１０５、ダクト１０５ａの順序に通過する空気を閉循環させる閉循環風路ａと、第２送風手段１０８により熱交換器１０５を冷却するとともに除湿ローター１０２に水分を吸着させて吹出口から乾燥空気を送出する風路ｂを形成している。なお閉循環風路ａにおいて、熱交換器１０５内で結露を起こして生じた結露水は排水タンク１０９に貯えるようになっている。
【０００４】
また、図２に示すように、ハニカム形状で円筒型の除湿ローター１０２は駆動手段１０３により回転可能に設けられ、閉循環風路ａにおいて、第１送風手段１０７から送られた空気が発熱ユニット１０４に空気入口部１１０から入り、発熱ユニット内の略扇形状で蛇腹状に均等配置された電熱体１１１を通過し、略扇形状の空気出口部１１２より排出され、さらに発熱ユニットおよび除湿ローター１０２を通過し、熱交換器１０５に送られる構成となっている。
【特許文献１】特開２００３―３８９３０号公報（第５−６頁、第１図、第２図）
【発明の開示】
【発明が解決しようとする課題】
【０００５】
このような従来の除湿装置では、空気出口部が略扇形状のであるため、電熱体から除湿ローターに供給される熱量および送風量を適正に分散させるのが難しく、除湿ローターの表面に温度差が生じやすく、また通風量のばらつきにより水分の脱着機能が不充分となるため、除湿能力が充分に発揮できないだけでなく、除湿ローターに加熱変形が生じるときは、除湿ローターの回転中にロック停止する不具合や、耐久性が低下するという課題があった。
【０００６】
また、除湿性能を確保するには、閉循環風路ａにおいて空気出口部１０２から圧損の高いハニカム形状の除湿ローター１０２に空気が送られるとき、空気出口部１１２の端辺からの空気漏れを最小限に抑える必要があるが、略扇形状の空気出口部１１２の中心付近は端辺からの距離が近く狭いため、空気漏れが多くなり除湿能力が低下するという課題があった。
【０００７】
本発明は、このような従来の課題を解決するものであり、除湿ローターに面する空気出口部から限定した範囲で熱量と風量を多く供給することによって、除湿ローターの表面温度のアンバランスを解消するとともに、空気出口部の端辺からの空気漏れをできるだけ低減して、水分の脱着効率に優れた除湿装置を提供するとともに、除湿ローターの熱変形やロック停止などの不具合を解消し、除湿ローターの耐久性を向上することができる除湿装置を提供することを目的とする。
【課題を解決するための手段】
【０００８】
上記した目的を達成するために、本発明が講じた第１の課題解決手段は、本体内部に、空気中の水分を吸着する除湿ローターと、前記除湿ローターを回転させる駆動手段と、前記除湿ローターから水分を放出させる発熱手段と、前記発熱手段により前記除湿ローターから放出された高温高湿空気を結露させる熱交換器と、前記熱交換器を通過した高温高湿空気を前記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段と、前記発熱手段を保持する前面が開口した略扇形形状の箱体と、前記箱体の開口面を覆う蓋部とを有し、前記箱体には前記第１送風手段からの送風を取り込む空気入口部と、前記蓋部には発熱手段で加熱された空気を吹き出す略扇形形状の空気出口部を設け、前記発熱手段の発熱量および前記空気出口部から吹き出す空気量を、前記空気出口部の略扇形形状の中央から半径方向の径大側にかけて増大してなり、前記発熱手段は、前記空気出口部に面して複数層に積層された電熱体からなり、前記空気出口部の略扇形状の中心付近に配置した前記電熱体の積層数を低減してなり、前記発熱手段となる前記電熱体を支持して収納する枠体と、この枠体を収納する略扇形形状の箱体を有し、前記枠体の側面に前記箱体の空気入口部と連通する開口穴を設け、この開口穴の形状を前記箱体の中心側より径大側が高くなる横向きの台形形状とした構成としたものである。
【００１３】
また、本発明が講じた第２の課題解決手段は、発熱手段となる電熱体を収納する枠体と、この枠体内で前記電熱体を支持するために半径方向に放射状に配置された複数の縦絶縁板を設け、この縦絶縁板の形状は箱体の中心側より径大側が低くなる横向きの台形形状としたものである。
【００１４】
また、本発明が講じた第３の課題解決手段は、発熱手段となる電熱体を収納する枠体と、この枠体の側面に設けた開口穴と、前記枠体の表面を通過する表通風路と、前記枠体の裏面を通過する裏通風路と、前記枠体に前記裏通風路から前記表通風路に合流する合流穴を設け、この合流穴を空気出口部の略扇形状の中央から径大側の範囲に配置してなるものである。
【００１５】
また、本発明が講じた第４の課題解決手段は、枠体に設けた裏通風路から表通風路に合流する複数の合流穴を設け、この合流穴の大きさは空気出口部の径大側に位置する方を大きくしたものである。
【００１６】
また、本発明が講じた第５の課題解決手段は、電熱体を収納する枠体と、この枠体内で前記電熱体を支持する複数の縦絶縁板を備え、各縦絶縁板の下辺に複数の突片を設け、この突片の位置は、枠体の開口穴に面して交互にずらした配置としたものである。
【００１７】
また、本発明が講じた第６の課題解決手段は、発熱手段となる発熱体を収納する枠体と、この枠体の側板に設けた空気を導入する開口穴と、前記枠体を収納する略扇形状の箱体を有し、前記枠体の側板が前記箱体に形成した空気出口部の中心線２１方向に傾斜してなるものである。
【００１８】
また、本発明が講じた第７の課題解決手段は、発熱手段となる電熱体を収納する枠体と、この枠体を収納する略扇形状の箱体と、前記枠体内で前記電熱体を支持するために放射状に配置された複数の縦絶縁板を備え、この縦絶縁板は前記箱体に形成した空気出口部の中心線方向に傾斜してなるものである。
【００１９】
これらにより、除湿ローターに面する空気出口部から限定した範囲で熱量と風量を多く供給することによって、除湿ローターの表面温度のアンバランスを解消するとともに、空気出口部の端辺からの空気漏れをできるだけ低減して、水分の脱着効率に優れた除湿装置を提供するとともに、除湿ローターの熱変形やロック停止などの不具合を解消し、除湿ローターの耐久性を向上することができる除湿装置が得られる。
【発明の効果】
【００２０】
本発明によれば、除湿ローターの径大側領域において、熱量と空気量を増加して供給できるため、除湿能力が大幅に向上するとともに、除湿ローターの水分放出領域の温度のばらつきが少なくなり、連続使用時での高温劣化を低減することで、除湿ローターの耐久性向上を図り、除湿ローターの反りによるロック停止などの不具合を防止でき、複数層に積層された電熱体において、電熱体の内周側の積層数を低減して、略扇形状の径大側部分の熱量を相対的に多く供給することにより、除湿ローターの径大側領域において水分放出効率が向上し、除湿効率を高めることができ、電熱体の不均一な温度分布に対し、送風量に差を付けて調整することより、除湿ローター表面の温度分布も均一化でき、除湿ローターの耐久性を向上することができる。
【００２５】
また、除湿ローターの水分放出量を増やせるとともに、径方向の温度分布のばらつきを抑え、除湿性能の向上を図ることができる。
【００２６】
また、合流穴を通して略扇形状の径大側に送風量を増やすことにより、発熱量の増加とあいまって、除湿ローターに供給される熱容量を増加して、除湿装置の除湿性能を向上できる。
【００２７】
また、複数の合流穴を通して、箱体の略扇形状の径大側に送風量を増やすことにより、除湿ローターの水分放出の増大と温度分布を均一化できるため、除湿装置の除湿性能を大きく向上できる。
【００２８】
また、電熱体に満遍なく空気を供給することが可能となり、加熱効率を高めるとともに、除湿ローターの表面温度のバラツキを解消して、高温による除湿ローターの反りを低減できる。
【００２９】
また、除湿ローターの水分放出領域以外に漏れる空気を低減し、除湿ローターの水分放出量の低下を防いで除湿効率を高めることができる。
【００３０】
また、中心線方向に集めるように全ての気流を偏向させ、空気出口部から除湿ローターの水分放出領域の外部への空気漏れを防止して、除湿ローターの除湿効率をさらに高めることができる。
【発明を実施するための最良の形態】
【００３１】
本発明の請求項１記載の除湿装置は、本体内部に、空気中の水分を吸着する除湿ローターと、前記除湿ローターを回転させる駆動手段と、前記除湿ローターから水分を放出させる発熱手段と、前記発熱手段により前記除湿ローターから放出された高温高湿空気を結露させる熱交換器と、前記熱交換器を通過した高温高湿空気を前記発熱手段に戻すダクトと、前記発熱手段、除湿ローター、熱交換器、ダクトの順序に通過する空気を閉循環させる第１送風手段と、前記熱交換器を冷却するとともに前記除湿ローターに水分を吸着させて吹出口から乾燥空気を送出する第２送風手段と、前記発熱手段を保持する前面が開口した略扇形形状の箱体と、前記箱体の開口面を覆う蓋部とを有し、前記箱体には前記第１送風手段からの送風を取り込む空気入口部と、前記蓋部には発熱手段で加熱された空気を吹き出す略扇形形状の空気出口部を設け、前記発熱手段の発熱量および前記空気出口部から吹き出す空気量を、前記空気出口部の略扇形形状の中央から半径方向の径大側にかけて増大してなり、前記発熱手段は、前記空気出口部に面して複数層に積層された電熱体からなり、前記空気出口部の略扇形状の中心付近に配置した前記電熱体の積層数を低減してなり、前記発熱手段となる前記電熱体を支持して収納する枠体と、この枠体を収納する略扇形形状の箱体を有し、前記枠体の側面に前記箱体の空気入口部と連通する開口穴を設け、この開口穴の形状を前記箱体の中心側より径大側が高くなる横向きの台形形状とし、発熱手段に面する除湿ローターの略扇形形状の相対的に大きな領域において、通気温度の上昇を抑えつつ大容量の熱量と空気量を供給できるので、除湿ローターに吸湿された水分を効果的に放出することができ、また、空気出口部の中心付近に比べて空気が漏れにくい径大側領域に無駄なく通風することができ、また、除湿ローターの略扇形形状の半径方向の温度勾配が少なくなり、除湿ローターの表面温度を均一化して長寿命化でき、複数層に積層された電熱体において、略扇形状の中心付近に配置した電熱体の積層数を低減することにより、略扇形状の径大側領域に熱量を多く供給することにより、除湿ローターの面積が大きく空気が漏れにくい径大側領域に、多くの熱量を与えて水分放出を行うことで、除湿効率を高めることができ、箱体に供給される送風が、略扇形状の径大側の高さ寸法を大とした台形形状の開口穴を通ることにより、箱体の中心側に比べて径大側部分に多く供給され、径大側部分で電熱体の発熱量を高めた使用条件において、除湿ローターの水分放出量を増やせるとともに、径方向の温度分布のばらつきを抑えるという作用を有する。
【００３６】
また、請求項２記載の除湿装置は、電熱体を収納する枠体と、この枠体内で前記電熱体を支持するために半径方向に放射状に配置された複数の縦絶縁板を設け、この縦絶縁板の形状は箱体の内周側より径大側が低くなる横向きの台形形状としたものであり、箱体に供給される送風は、箱体の内周側より径大側が低くなる横向きの台形形状の縦絶縁板を横切って通ることにより、箱体の中心側に比べて径大側部分に多く供給され、径大側部分で電熱体の発熱量を高めた使用条件において、除湿ローターの水分放出量を増やせるとともに、径方向の温度分布のばらつきを抑えるという作用を有する。
【００３７】
また、請求項３記載の除湿装置は、電熱体を収納する枠体と、この枠体の側面に設けた開口穴と、前記枠体の表面を通過する表通風路と、前記枠体の裏面を通過する裏通風路と、前記枠体に前記裏通風路から前記表通風路に合流する合流穴を設け、この合流穴を空気出口部の略扇形状の半径方向の中央から径大側に配置したものであり、枠体の裏通風路から表通風路に合流穴を通して、箱体の略扇形状の径大側に送風量を増やすことができるので、径大側の発熱量の増加とあいまって、除湿ローターに供給される熱容量を増加して、除湿ローターの水分放出量を増大できるという作用を有する。
【００３８】
また、請求項４記載の除湿装置は、枠体に設けた裏通風路から表通風路に合流する複数の合流穴を設け、この合流穴の面積を空気出口部の略扇形状の径大側に位置する方を大きくしたものであり、枠体の裏通風路から表通風路への複数の合流穴を通して、箱体の略扇形状の径大側部分にさらに送風量を増やすことができるので、径大側部分の発熱量の増加とあいまって、除湿ローターに供給される熱容量を増加して、除湿ローターの水分放出量をさらに増大できる作用を有する。
【００３９】
また、請求項５記載の除湿装置は、電熱体を収納する枠体と、この枠体内で前記電熱体を支持する複数の縦絶縁板を備え、各縦絶縁板の下辺に複数の突片を設け、この突片の位置は、枠体の開口穴に面して交互にずらした配置としたものであり、縦絶縁体を横切る空気が細分化しながら電熱体に満遍なく空気を供給することが可能となり、除湿ローターの水分放出おいて、除湿ローターの温度を均一化できる作用を有する。
【００４０】
また、請求項６記載の除湿装置は、発熱手段となる発熱体を収納する枠体と、この枠体の側板に設けた空気を導入する開口穴と、前記枠体を収納する略扇形状の箱体を有し、前記枠体の側板が前記箱体に形成した空気出口部の中心線方向に傾斜するとしたものであり、枠体の側面が空気出口部平面の略扇形状の中心線方向に傾斜することにより、空気出口部の端から放出される空気が、圧損の高い除湿ローターに供給される時に、除湿ローターの水分放出領域の略扇形状の中心線方向に傾斜して供給されるため、除湿ローターの水分放出領域以外に漏れる空気を低減できる作用を有する。
【００４１】
また、請求項７記載の除湿装置は、発熱手段となる電熱体を収納する枠体と、この枠体を収納する略扇形状の箱体と、前記枠体内で前記電熱体を支持するために放射状に配置された複数の縦絶縁板を備え、この縦絶縁板は前記箱体に形成した空気出口部の中心線方向に傾斜するとしたものであり、縦絶縁板が空気出口部の略扇形状の中心線方向に傾斜することにより、縦絶縁板に沿って通過する空気が、除湿ローターに供給されるときに、縦絶縁板が風向板として作用し、除湿ローターの外部に漏れがない中心線方向に傾斜して集中して供給できるという作用を有する。
【００４２】
以下、本発明の実施の形態について、図面を参照しながら説明する。
【００４３】
（実施の形態１）
図１に示すように、本体１内部に、空気中の水分を吸着する除湿ローター２と、除湿ローター２を回転させる駆動手段３と、除湿ローター２から水分を放出させる発熱手段１０を備えている。この発熱手段１０により除湿ローター２から高温高湿空気を放出させ、さらに熱交換器５を通過するときに高温高湿空気を結露させている。ダクト５ａは熱交換器５を通過した高温高湿空気を発熱手段１０に戻すものであり、第１送風手段７により発熱手段１０、除湿ローター２、熱交換器５、ダクト５ａの順序に空気を閉循環風路ａで閉循環させている。風路ｂは第２送風手段８は熱交換器５を冷却するとともに、除湿ローター２に水分を吸着させて吹出口１２から室内に乾燥空気を送出している。
【００４４】
また、図２に示すように、発熱手段１０は前面が開口した略扇形形状の箱体１０ａと、箱体１０ａの開口面を通風可能に覆う蓋部１１を備え、蓋部１１は略扇形形状の空気出口部１１ａを形成している。また箱体１０ａには第１送風手段７からの閉循環風路ａの送風を取り込む空気入口部１０ｂを備え、蓋部１１の空気出口部１１ａから加熱された空気を除湿ローター２へと吹き出すものである。ここで略扇形状の空気出口部１１ａにおいて、半径方向の中央より径大側にわたる範囲を径大側部分Ｗ１としている。
【００４５】
また、図３に示すように、発熱手段１０は箱体１０ａ内で電熱体２０を収納する枠体１３を備え、この枠体１３内で電熱体２０を支持するために縦横に配置された複数の縦絶縁板１４および横絶縁板１５を備え、その縦絶縁板１４の支持凹部１４ｂに蛇腹状の電熱体２０を挟持するように支持し、枠体１３は空気出口部１１ａに対応した略扇形形状に形成されている。電熱体２０は空気出口部１１ａに対し垂直方向に２層重ねて配列しており、下層の電熱体２０は空気出口部１１ａの中心側の一部を欠いた形状に加工して、略扇形状の半径方向の中央より径大側にわたり積層して配列している。
【００４６】
図３および図４に示すように、電熱体２０を挟持する縦絶縁板１４の支持凹部１４ｂは、空気出口部１１ａの径大側部分Ｗ１において、支持凹部１４ｂの間隔を短縮して形成することにより、除湿ローター２の径大側領域Ｗ２に放熱量を順次増加するように設けている。
【００４７】
図５に示すように、コイルばね形状の電熱体２０はコイルばね間が密接した超密電熱体２０ａであり、縦絶縁板１４への取付け時に電熱体２０の端から１／３までは少し引き伸ばして密電熱体２０ｂの形状となし、中間の１／３ではさらに引き伸ばしてコイル間のピッチがやや大なる中電熱体２０ｃの形状となし、残りの１／３を中電熱体２０ｃよりもコイル間のピッチが大なる粗電熱体２０ｄの形状となし、略扇形状の径大側部分Ｗ１に密電熱体２０ｂを配置して、枠体１３内に放射状に整列して設けた縦絶縁板１４につづら折状に巻き付ける構成としている。
【００４８】
また、図６に示すように、空気出口部１１ａの径大側部分Ｗ１に対面する除湿ローター２の領域を径大側領域Ｗ２としている。
【００４９】
また、図７〜図９に示すように、空気入口部１０ｂから入ってきた空気を電熱体２０に供給するために枠体１３に開口穴１３ａが設けており、この開口穴１３ａの高さが空気出口部１１ａの略扇形形状の中心側より径大側の方を高くして設けており、開口穴１３ａを通過する空気が枠体１３の表面の表通風路１３ｂと裏面の裏通風路１３ｃの２方向に分かれて通風する。表通風路１３ｂに入った気流は電熱体２０で加熱されるとともに、縦絶縁板１４に沿って方向変更し、空気出口部１１ａより除湿ローター２の方向に放出される。裏通風路１３ｃに入った気流は、箱体１０ａ内面の放熱の役目を兼ねて通風され、枠体１３の側板１３ｅに設けた開口部（図示せず）から枠体１３内に入り、空気出口部１１ａの端部より除湿ローター２の方向に放出される。
【００５０】
また、図８に示すように、縦絶縁板１４の側面高さが空気出口部１１ａの略扇形形状の径大側より中心側の方を高くして設けており、縦絶縁板１４の下辺には隣り合う縦絶縁板１４に重ならないように突片１４ａが交互に突き出すように設けられている。枠体１３には裏通風路１３ｃから表通風路１３ｂに空気が合流する合流穴１３ｄを２〜３箇所設け、合流穴１３ｄの穴の大きさは、空気出口部１１ａの略扇形形状の中央より径大側に位置するものを大きくしている。
【００５１】
上記構成により、除湿運転を行なうときは、第２送風手段８の送風運転により室内空気を吸引し、除湿ローター２に水分を吸着させるとともに、熱交換器５を冷却して吹出口１２から乾燥空気を送出する。このとき第１送風手段７により発熱手段１０、除湿ローター２、熱交換器５、ダクト５ａの順序に空気を閉循環風路ａで閉循環させ、除湿ローター２を加熱再生するとともに、熱交換器５にて高湿空気から結露水を回収している。閉循環風路ａに設けた発熱手段１０は、電熱体２０を備えた箱体１０ａの空気出口部１１ａから加熱空気と輻射熱を除湿ローター２へと供給する。このとき供給する加熱量と空気量を、空気出口部１１ａの径大側部分Ｗ１に増大させることにより、電熱体２０に面する除湿ローター２の径大側領域Ｗ２において、温度上昇を抑えつつ大容量の熱量と空気量を供給できるので、除湿ローター２に吸湿された水分を効果的に放出することができる。また、除湿ローター２の空気が漏れにくい径大側領域Ｗ２に無駄なく通風することができるので、除湿能力を高めることができる。また、除湿ローター２の半径方向の温度差が少なくなり、除湿ローター２の熱変形を防いで長寿命化することができる。
【００５２】
また、枠体１３内に複数層に積層された電熱体２０において、略扇形状の中心付近に配置した電熱体２０の積層数を低減することにより、除湿ローター２の径大側領域Ｗ２に熱量を多く供給することになり、面積大で空気が漏れにくい径大側領域Ｗ２にて多くの水分放出を行うことで、除湿効率を高めることができる。
【００５３】
また、空気出口部１１ａの径大側部分Ｗ１において、電熱体２０を支持する縦絶縁板１４の支持凹部１４ｂの間隔を短縮することにより、対面する除湿ローター２の径大側領域Ｗ２に対して発熱量を順次増加することができ、空気出口部１１ａの略扇形形状に合わせた加熱分布とすることができ、除湿ローター２の表面温度差にアンバランスを生じることなく、除湿ローター２から効果的に水分を放出することができる。
【００５４】
また、空気出口部１１ａの径大側部分Ｗ１において、コイルばね形状の電熱体２０のピッチ寸法を次第に短縮することにより、単位面積あたりの発熱量を増加することができるので、除湿ローター２の径大側領域Ｗ２に相対的に多くの熱量を供給することが可能となり、絶縁板１４などの部品形状を変更することなく、簡単な構成で除湿ローター２の水分放出量を増加させることができる。
【００５５】
また、箱体１０ａに供給される送風が、径大側の高さ寸法を大とした横向きの台形形状の開口穴１３ａを通ることにより、箱体１０ａの中心側に比べて径大側部分Ｗ１に多く供給され、径大側部分Ｗ１で電熱体２０の発熱量を高めた使用条件において、除湿ローター２の水分放出量を増やせるとともに、径方向の温度分布のばらつきを抑えることができる。
【００５６】
また、箱体１０ａに供給される送風は、箱体１０ａの中心付近より径大側が高さ小なる横向きの台形形状の縦絶縁板１４を横切って通ることにより、送風量は箱体１０ａの中心側に比べて径大側部分Ｗ１に多く供給され、径大側部分Ｗ１で電熱体２０の発熱量を高めた使用条件において、除湿ローター２の水分放出量を増やせるとともに、径方向の温度分布のばらつきを抑えることができる。
【００５７】
また、箱体１０ａの裏通風路１３ｃから表通風路１３ｂに合流穴１３ｄを通して、箱体１０ａの略扇形状の径大側部分Ｗ１への送風量を増やすことができるので、電熱体２０の径大側部分Ｗ１の発熱量の増加とあいまって、除湿ローター２の径大側領域Ｗ２に供給される熱容量を増加して、除湿ローター２の水分放出量を増大できる。
【００５８】
また、ここで複数の合流穴１３ｄを設けて径大側部分Ｗ１への送風量を増やすことにより、さらに除湿ローター２の径大側領域Ｗ２への送風量を増やすことができるので、電熱体２０の径大側部分Ｗ１の発熱量の増加とあいまって、除湿ローター２の水分放出量をさらに増大できる。
【００５９】
また、縦絶縁板１４の下辺に突片１４ａを交互に突き出して設けることにより、縦絶縁体１４を横切る空気流は細分化しながら通風方向を変えて、電熱体２０の間を満遍なく通過することができるので、空気流を効率よく加熱して昇温することができ、充分に昇温した加熱気流を除湿ローター２に供給することができる。
【００６０】
（実施の形態２）
また、図８に示すように、箱体１０ａは電熱体２０を収納する枠体１３を備え、枠体１３の側板１３ｅは空気出口部１１ａの略扇形状の中心線２１方向にやや傾斜して設けている。また、枠体１３内で電熱体２０を支持するために放射状に配置された複数の縦絶縁板１４についても、中心線２１方向に浅い角度で傾斜して設けている。
【００６１】
上記構成により、箱体１０ａの空気入口部１０ｂより送りこまれた気流は、枠体１３内を通過して、空気出口部１１ａから比較的圧損の高い除湿ローター２に供給される。そのとき枠体１３の側板１３ｅおよび複数の縦絶縁板１４は、空気出口部１１ａの略扇形状の中心線２１方向に傾斜しているため、除湿ローター２への加熱気流が空気出口部１１ａの中心方向に寄せられて送風されるので、空気出口部１１ａの端から漏れる空気量を大幅に低減することができ、除湿ローター２に漏れなく加熱気流を供給することができる。このように空気出口部１１ａから送出された加熱気流を、除湿ローター２に漏れなく集中的に供給することができるので、除湿ローター２の除湿効率を大きく向上することができる。
【図面の簡単な説明】
【００６２】
【図１】本発明の実施の形態１および２の除湿装置の概略模式図
【図２】同、本発明の実施の形態１の箱体の外観斜視図
【図３】同、絶縁板の状態を示す箱体の要部断面図
【図４】同、電熱体間の距離を変更した枠体の概略平面図
【図５】同、電熱体の粗密度合を変更した枠体の概略平面図
【図６】同、除湿ローターの径大側領域Ｗ２を示す概略外観図
【図７】同、箱体の外観側面図
【図８】同、合流穴を示す箱体の要部断面図
【図９】同、本発明の実施の形態２の箱体の要部断面図
【図１０】従来の除湿装置の概略模式図
【図１１】同、発熱手段および除湿ローター部分の詳細図
【符号の説明】
【００６３】
１      本体
２      除湿ローター
３      駆動手段
５      熱交換器
５ａ    ダクト
７      第１送風手段
８      第２送風手段
１０    発熱手段
１０ａ  箱体
１０ｂ  空気入口部
１１    蓋部
１１ａ  空気出口部
１２    吹出口
１３    枠体
１３ａ  開口穴
１３ｂ  表通風路
１３ｃ  裏通風路
１３ｄ  合流穴
１３ｅ  側板
１４    縦絶縁板（発熱手段）
１４ａ  突片
１４ｂ  支持凹部
１５    横絶縁板
２０    電熱体（発熱手段）
２１    中心線
【図１】
0005251065.tif 000002
【図２】
0005251065.tif 000003
【図３】
0005251065.tif 000004
【図４】
0005251065.tif 000005
【図５】
0005251065.tif 000006
【図６】
0005251065.tif 000007
【図７】
0005251065.tif 000008
【図８】
0005251065.tif 000009
【図９】
0005251065.tif 000010
【図１０】
0005251065.tif 000011
【図１１】
0005251065.tif 000012